(57)【要約】【課題】タイマ予約録画が設定されている場合に、磁気テープをローディングしたとき、磁気テープの記録開始位置を選択することにより、選択された磁気テープの記録開始位置まで巻き戻し或いは早送りされた後、自動的にタイマ予約録画の待機状態にすることができるようにする。【解決手段】タイマ予約録画が設定されている場合に、磁気テープがローディングされたとき、映像音声信号の記録位置を選択する選択画面を表示して、磁気テープの始端が映像音声信号の記録位置として選択された場合、磁気テープを巻き戻してタイマ予約録画の待機状態にし、磁気テープの映像音声信号の未記録位置が映像音声信号の記録位置として選択された場合、ブランクサーチしてタイマ予約録画の待機状態にし、磁気テープがローディングされたときの位置が映像音声信号の記録位置として選択された場合、タイマ予約録画の待機状態にするようにする。【選択図】　　　　図１
0003097894.tif 000002
【実用新案登録請求の範囲】
【請求項１】
タイマ予約録画により映像音声信号を磁気テープに記録することが可能な磁気記録再生装置であって、
タイマ予約録画が設定されている場合に、磁気テープがローディングされたとき、磁気テープに記録する映像音声信号の記録位置を選択する選択画面を表示する表示手段と、前記表示手段により表示された選択画面の映像音声信号の記録位置のいずれかを選択する選択手段と、前記選択手段により磁気テープの始端が映像音声信号の記録位置として選択された場合、磁気テープを巻き戻してタイマ予約録画の待機状態にし、前記選択手段により磁気テープの映像音声信号の未記録位置が映像音声信号の記録位置として選択された場合、ブランクサーチしてタイマ予約録画の待機状態にし、前記選択手段により磁気テープがローディングされたときの位置が映像音声信号の記録位置として選択された場合、タイマ予約録画の待機状態にする制御手段とを備えたことを特徴とする磁気記録再生装置。
【請求項２】
タイマ予約録画により映像音声信号を磁気テープに記録することが可能な磁気記録再生装置であって、
タイマ予約録画が設定されている場合に、磁気テープがローディングされたとき、磁気テープに記録する映像音声信号の記録位置を選択する選択画面を表示する表示手段と、前記表示手段により表示された選択画面の映像音声信号の記録位置のいずれかを選択する選択手段と、前記選択手段により選択された映像音声信号の記録位置まで磁気テープを巻き戻し又は早送りして、タイマ予約録画の待機状態にする制御手段とを備えたことを特徴とする磁気記録再生装置。
【請求項３】
前記制御手段は、前記選択手段により磁気テープの始端が映像音声信号の記録位置として選択された場合、磁気テープを巻き戻してタイマ予約録画の待機状態にする制御手段であることを特徴とする請求項２記載の磁気記録再生装置。
【請求項４】
前記制御手段は、前記選択手段により磁気テープの映像音声信号の未記録位置が映像音声信号の記録位置として選択された場合、ブランクサーチしてタイマ予約録画の待機状態にする制御手段であることを特徴とする請求項２記載の磁気記録再生装置。
【請求項５】
前記制御手段は、前記選択手段により磁気テープがローディングされたときの位置が映像音声信号の記録位置として選択された場合、タイマ予約録画の待機状態にする制御手段であることを特徴とする請求項２記載の磁気記録再生装置。
【考案の詳細な説明】
【０００１】
【考案の属する技術分野】本考案は、磁気テープに映像音声信号を記録再生する磁気記録再生装置に係り、特にタイマ予約録画時に映像音声信号の記録位置を選択して、選択された記録位置から映像音声信号を磁気テープに記録する機能を有する磁気記録再生装置に関する。
【０００２】
【従来の技術】磁気テープを磁気記録再生装置にローディングして映像音声信号のタイマ予約録画をするとき、磁気テープの始端から映像音声信号を記録したい場合、ユーザは磁気テープが巻き戻されるまで待ってからタイマ予約録画をしなければならないという問題点があった。また、磁気テープに映像音声信号が記録されていない位置から映像音声信号を記録したい場合、ユーザはブランクサーチして映像音声信号が記録されていない位置が検出されるまで待ってからタイマ予約録画をしなければならないという問題点があった。
【０００３】従来の技術としては、情報記録位置がカウンタの計数値をもって特定可能な情報記録媒体に画像情報を記録する録画時間帯を時限動作型のタイマに設定し、録画予約に際し記録媒体上の録画位置をカウンタによる計数値をもって指定して、タイマに設定された録画時間帯が到来したときに、指定された録画位置に録画を実行するようにしたものがあった（例えば、特許文献１参照）。
【０００４】
【特許文献１】実開昭６３−１０９３４０号公報
【０００５】
【考案が解決しようとする課題】しかしながら、従来の技術で述べたものにおいては、情報記録位置がカウンタの計数値をもって特定可能な情報記録媒体に画像情報を記録する録画時間帯を時限動作型のタイマに設定し、タイマ予約録画に際して記録媒体上の録画位置をカウンタによる計数値をもって指定して、タイマに設定された録画時間帯になったときに、指定された録画位置に録画を実行することができたが、指定された録画位置まで磁気テープが巻き戻されるまで待ってから、ユーザがタイマ予約録画を設定しなければならないという問題点があった。
【０００６】本考案は、従来の技術の有するこのような問題点に鑑みてなされたものであり、その目的とするところは、タイマ予約録画が設定されている場合に、磁気テープをローディングしたとき、磁気テープの記録開始位置を選択することにより、選択された磁気テープの記録開始位置まで巻き戻し或いは早送りされた後、自動的にタイマ予約録画の待機状態にすることができる磁気記録再生装置を提供しようとするものである。
【０００７】
【課題を解決するための手段】上記目的を達成するために、本考案における磁気記録再生装置は、タイマ予約録画により映像音声信号を磁気テープに記録することが可能な磁気記録再生装置であって、タイマ予約録画が設定されている場合に、磁気テープがローディングされたとき、磁気テープに記録する映像音声信号の記録位置を選択する選択画面を表示する表示手段と、前記表示手段により表示された選択画面の映像音声信号の記録位置のいずれかを選択する選択手段と、前記選択手段により選択された映像音声信号の記録位置まで磁気テープを巻き戻し又は早送りして、タイマ予約録画の待機状態にする制御手段とを備える。
【０００８】そして、前記選択手段により磁気テープの始端が映像音声信号の記録位置として選択された場合、磁気テープを巻き戻してタイマ予約録画の待機状態にするようにする。
【０００９】また、前記選択手段により磁気テープの映像音声信号の未記録位置が映像音声信号の記録位置として選択された場合、ブランクサーチしてタイマ予約録画の待機状態にするようにする。
【００１０】また、前記選択手段により磁気テープがローディングされたときの位置が映像音声信号の記録位置として選択された場合、タイマ予約録画の待機状態にするようにする。
【００１１】上記のように構成することにより、タイマ予約録画が設定されている場合に、磁気テープをローディングしたとき、磁気テープの記録開始位置を選択することにより、選択された磁気テープの記録開始位置まで巻き戻し或いは早送りされた後、自動的にタイマ予約録画の待機状態にすることができる。
【００１２】
【考案の実施の形態】以下、適宜図面を参照しながら本考案の実施の形態を詳述する。図１は本考案の実施の形態に係る磁気記録再生装置の構成を示すブロック図であり、図２は本考案の実施の形態に係る磁気記録再生装置のリモコン装置を示す説明図であり、図３は本考案の実施の形態に係る磁気記録再生装置の記録開始位置の選択画面の一表示例を示す図であり、図４は本考案の実施の形態に係る磁気記録再生装置の動作を示すフローチャートである。
【００１３】まず、図１の本考案の実施の形態に係る磁気記録再生装置の構成を示すブロック図を基に説明する。
【００１４】磁気記録再生装置１０は、アンテナ１８により受信された電波から選択されたチャンネルのテレビ放送を受信するチューナ１１と、チューナ１１により受信されたテレビ放送の映像音声信号を検波して増幅する検波増幅回路１２と、磁気テープに映像音声信号を記録再生する記録再生部１３と、記録再生部１３により再生された映像音声信号を増幅して出力する映像音声出力回路１４と、文字情報信号を映像信号に重畳して文字情報をモニタ装置３０の画面に表示するＯＳＤ（Ｏｎ−Ｓｃｒｅｅｎ　Ｃｈａｒａｃｔｅｒ　Ｄｉｓｐｌａｙ）回路１５と、磁気記録再生装置１０のシステム全体を制御するマイコン１６と、リモコン装置２０から送信された赤外線信号のリモコン信号を受信して、所定の電気信号に変換するリモコン受信部１７とで構成されている。
【００１５】また、図２の本考案の実施の形態に係る磁気記録再生装置のリモコン装置を示す説明図を基に説明する。
【００１６】リモコン装置２０には、受信するテレビ放送のチャンネルを選択するとともに、タイマ予約録画するテレビ放送番組コードを入力するテンキー２０ａ、映像音声信号のタイマ予約録画を指令する予約録画キー２０ｂ、モニタ装置の画面に表示された選択項目を選択するカーソルキー２０ｃ、カーソルキー２０ｃにより選択された選択項目の選択を決定する決定キー２０ｄ、磁気テープの取り出しを指令する取出キー２０ｅ等の各種操作キーが設けられていて、それらの操作キーを操作することにより、磁気記録再生装置１０を所望動作させることができるようになっている。
【００１７】以上のように構成された磁気記録再生装置について、以下その動作について説明する。
【００１８】リモコン装置２０の操作キーが操作されると、操作された操作キーの赤外線信号のリモコン信号がリモコン装置２０から送信され、磁気記録再生装置１０のリモコン受信部１７により受信されて、所定の電気信号のリモコン信号に変換されてマイコン１６に送出されるようになっている。
【００１９】マイコン１６は、リモコン装置２０のテンキー２０ａと予約録画キー２０ｂとのリモコン信号を受信すると、チューナ１１に制御信号を送出して、選択されたテレビ放送番組を受信するようにし、タイマ予約録画の待機状態にする。
【００２０】タイマ予約録画が設定されている場合に、磁気テープが磁気記録再生装置１０にローディングされると、マイコン１６は、文字情報信号と制御信号とＯＳＤ回路１５に送出して、映像音声信号の記録開始位置の選択画面３０ａをモニタ装置３０の画面３０ａに表示する（図３参照）。
【００２１】そして、リモコン装置２０のカーソルキー２０ｃと決定キー２０ｄとの操作により、モニタ装置３０の画面３０ａに表示された選択画面の磁気テープがローディングされたときの位置から映像音声信号を記録する「１．現在の位置から記録する」が選択された場合、マイコン１６は、タイマ予約録画の待機状態にする。
【００２２】また、リモコン装置２０のカーソルキー２０ｃと決定キー２０ｄとの操作により、モニタ装置３０の画面３０ａに表示された選択画面の磁気テープの映像音声信号の未記録位置から映像音声信号を記録する「２．ブランクサーチしてから記録する」が選択された場合、マイコン１６は、記録再生部１３に制御信号を送出して、ブランクサーチし、磁気テープのコントロールトラックに記録されているコントロール信号の無の位置を検出した後、タイマ予約録画の待機状態にする。
【００２３】また、リモコン装置２０のカーソルキー２０ｃと決定キー２０ｄとの操作により、モニタ装置３０の画面３０ａに表示された選択画面の磁気テープの始端から映像音声信号を記録する「３．磁気テープを巻き戻してから記録する」が選択された場合、マイコン１６は、記録再生部１３に制御信号を送出して、磁気テープを巻き戻し、磁気テープを始端まで巻き戻した後、タイマ予約録画の待機状態にする。なお、リモコン装置２０のカーソルキー２０ｃ、決定キー２０ｄ以外の操作キーが操作された場合、その操作キーによる指令が実行されるようになっている。
【００２４】そして、タイマ予約録画が設定された時刻になると、マイコン１６は、記録再生部１３に制御信号を送出して、チューナ１１により受信されたテレビ放送番組の映像音声信号を検波増幅回路１２により検波増幅し、検波増幅された映像音声信号を記録再生部１３に送出して、映像音声信号を磁気テープに記録する。
【００２５】また、タイマ予約録画の待機状態時に、リモコン装置２０の取出キー２０ｅを操作することにより、磁気テープを取り出して他の磁気テープに交換することができるようになっている。
【００２６】また、図４の本考案の実施の形態に係る磁気記録再生装置の動作を示すフローチャートを基に説明する。
【００２７】磁気テープが磁気記録再生装置にローディングされると、ステップＳ１からステップＳ２に進み、ステップＳ２で、タイマ予約録画が設定されているか否かが判断され、タイマ予約録画が設定されている場合、ステップＳ３に進み、タイマ予約録画が設定されていない場合、ステップＳ１２に進んで処理を終了する。
【００２８】ステップＳ３で、映像音声信号の記録開始位置の選択画面がモニタ装置の画面に表示され、ステップＳ４に進む。
【００２９】ステップＳ４で、リモコン装置のカーソルキーと決定キーとの操作により、モニタ装置の画面に表示された「１．現在の位置から記録する」が選択された場合、ステップＳ７に進み、「２．ブランクサーチしてから記録する」が選択された場合、ステップＳ５に進み、「３．磁気テープを巻き戻してから記録する」が選択された場合、ステップＳ６に進む。
【００３０】ステップＳ５で、ブランクサーチされ、磁気テープに映像音声信号が記録されていない位置が検出されて、ステップＳ７に進む。
【００３１】ステップＳ６で、磁気テープが始端まで巻き戻されて、ステップＳ７に進む。
【００３２】ステップＳ７で、タイマ予約録画の待機状態にされ、ステップＳ８に進む。
【００３３】ステップＳ８で、リモコン装置の取出キーが操作されたか否かが判断され、リモコン装置の取出キーが操作された場合、ステップＳ１１に進み、リモコン装置の取出キーが操作されていない場合、ステップＳ９に進む。
【００３４】ステップＳ９で、タイマ予約録画が設定された時刻になったか否かが判断され、タイマ予約録画が設定された時刻になった場合、ステップＳ１０に進み、タイマ予約録画が設定された時刻になっていない場合、ステップＳ８に戻って、ステップＳ８からのステップを繰り返す。
【００３５】ステップＳ１０で、チューナにより受信されたテレビ放送の映像音声信号が磁気テープに記録され、ステップＳ１２に進んで処理を終了する。
【００３６】ステップＳ１１で、磁気テープが取り出され、ステップＳ１２に進んで処理を終了する。
【００３７】以上、本考案の実施の形態について詳述したが、本考案はこれに限らず、当業者の通常の知識の範囲内でその変形や改良が可能である。例えば、リモコン装置に設けられた各種操作キーは、磁気記録再生装置の操作パネルにも設けるようにしてもよい。
【００３８】また、リモコン装置のカーソルキーと決定キーとの操作によりモニタ装置の画面に表示された選択項目を選択することを説明したが、リモコン装置のテンキーの操作によりモニタ装置の画面に表示された選択項目の番号を選択するようにしてもよい。
【００３９】
【考案の効果】以上説明してきたように、本考案による磁気記録再生装置によれば、タイマ予約録画が設定されている場合に、磁気テープがローディングされたとき、磁気テープに記録する映像音声信号の記録位置を選択する選択画面をモニタ装置の画面に表示して、モニタ装置の画面に表示された選択画面の映像音声信号の記録位置のいずれかを選択し、磁気テープの始端が映像音声信号の記録位置として選択された場合、磁気テープを巻き戻してタイマ予約録画の待機状態にし、前記選択手段により磁気テープの映像音声信号の未記録位置が映像音声信号の記録位置として選択された場合、ブランクサーチしてタイマ予約録画の待機状態にし、前記選択手段により磁気テープがローディングされたときの位置が映像音声信号の記録位置として選択された場合、タイマ予約録画の待機状態にすることができる。このことにより、タイマ予約録画が設定されている場合に、磁気テープをローディングしたとき、磁気テープの記録開始位置を選択することにより、選択された磁気テープの記録開始位置まで巻き戻し或いは早送りされた後、自動的にタイマ予約録画の待機状態にすることができる。
【００４０】請求項１記載の考案に係る磁気記録再生装置は、タイマ予約録画が設定されている場合に、磁気テープがローディングされたとき、磁気テープに記録する映像音声信号の記録位置を選択する選択画面を表示して、表示された選択画面の映像音声信号の記録位置のいずれかを選択し、磁気テープの始端が映像音声信号の記録位置として選択された場合、磁気テープを巻き戻してタイマ予約録画の待機状態にし、磁気テープの映像音声信号の未記録位置が映像音声信号の記録位置として選択された場合、ブランクサーチしてタイマ予約録画の待機状態にし、磁気テープがローディングされたときの位置が映像音声信号の記録位置として選択された場合、タイマ予約録画の待機状態にすることができるようにしている。
【００４１】請求項２記載の考案に係る磁気記録再生装置は、タイマ予約録画が設定されている場合に、磁気テープがローディングされたとき、磁気テープに記録する映像音声信号の記録位置を選択する選択画面を表示して、表示された選択画面の映像音声信号の記録位置のいずれかを選択し、選択された映像音声信号の記録位置まで磁気テープを巻き戻し又は早送りして、タイマ予約録画の待機状態にすることができるようにしている。
【００４２】請求項３記載の考案に係る磁気記録再生装置は、磁気テープの始端が映像音声信号の記録位置として選択された場合、磁気テープを巻き戻してタイマ予約録画の待機状態にすることができるようにしている。
【００４３】請求項４記載の考案に係る磁気記録再生装置は、磁気テープの映像音声信号の未記録位置が映像音声信号の記録位置として選択された場合、ブランクサーチしてタイマ予約録画の待機状態にすることができるようにしている。
【００４４】請求項５記載の考案に係る磁気記録再生装置は、磁気テープがローディングされたときの位置が映像音声信号の記録位置として選択された場合、タイマ予約録画の待機状態にすることができるようにしている。
【図面の簡単な説明】
【図１】本考案の実施の形態に係る磁気記録再生装置の構成を示すブロック図である。
【図２】本考案の実施の形態に係る磁気記録再生装置のリモコン装置を示す説明図である。
【図３】図３は本考案の実施の形態に係る磁気記録再生装置の記録開始位置の選択画面の一表示例を示す図である。
【図４】本考案の実施の形態に係る磁気記録再生装置の動作を示すフローチャートである。
【符号の説明】
１０　磁気記録再生装置
１１　チューナ
１２　検波増幅回路
１３　記録再生部
１４　映像音声出力回路
１５　ＯＳＤ回路
１６　マイコン
１７　リモコン受信部
１８　アンテナ
２０　リモコン装置
２０ａ　テンキー
２０ｂ　タイマ予約録画キー
２０ｃ　カーソルキー
２０ｄ　決定キー
３０　モニタ装置
３０ａ　画面
【図１】
0003097894.tif 000003
【図２】
0003097894.tif 000004
【図３】
0003097894.tif 000005
【図４】
0003097894.tif 000006